(57)【要約】【課題】屋外に設置したときにも、雨水が電装箱の内部に浸入しないようにする。【解決手段】底板５にケーブル挿通用の配線穴１１を開設し、その配線穴１１に長さが１５ｍｍ以上（例えば長さ２０ｍｍ）のゴムなどの弾性部材からなる保護管１２を取着し、その下端部には環状の膨出部１４を設け、保護管１２には緊縛手段１５を環装して、保護管１２に挿通したケーブル２２などを保護管１２ごと緊縛することができるようにした。【選択図】  図１
2005249247.tif 000002
【特許請求の範囲】
【請求項１】
底板に開設されたケーブル用の配線穴と、配線穴に取着された弾性部材からなる保護管とを備え、保護管が少なくとも１５ｍｍ以上の長さに形成されたことを特徴とする電装箱。
【請求項２】
保護管に緊縛手段が設けられたことを特徴とする請求項１記載の電装箱。
【請求項３】
保護管の下端部に緊縛手段の脱落を防止する膨出部が設けられたことを特徴とする請求項２記載の電装箱。
【請求項４】
冷媒圧縮機・冷媒／空気熱交換器・送風機などを備えた本体ケースの外部に請求項１〜３何れかに記載の電装箱が取着されたことを特徴とする空気調和機の室外機。
【発明の詳細な説明】
【技術分野】
【０００１】
本発明は、プリント基板などを収納する電装箱、ならびに外付けの電装箱を備えた空気調和機の室外機に関するものである。
【背景技術】
【０００２】
この種の電装箱としては、例えば底板に配線穴を開設しておき、プリント基板などを内部に配設したときには、所要のケーブルを配線穴に挿通し、その先端部をプリント基板などに接続することができるように構成されている。
【０００３】
その際、底板の配線穴に挿通して配線したケーブルが、配線穴に臨む底板の端部で傷つくことがないように、例えば図６に示したように配線穴１１を囲繞形成している底板５の端部と、保護リング１２Ｘの環状溝１３Ｘとの嵌合により、ゴム製などの保護リング１２Ｘを配線穴１１に取り付けるように構成した電装箱１Ｘが周知である。
【発明の開示】
【発明が解決しようとする課題】
【０００４】
図６に示した電装箱では、配線穴にゴム製などの保護リングを取り付けてあるので、配線穴に挿通したケーブルが傷つくことはないが、電装箱を雨水が掛かる屋外などに設置したときには、配線穴から雨水が電装箱内に浸入し、ショートするなどと云った不都合があったので、屋外に設置したときにも、雨水が電装箱の内部に浸入しないようにする必要があり、それが解決すべき課題となっていた。
【課題を解決するための手段】
【０００５】
本発明は上記従来技術の課題を解決するため、底板に開設されたケーブル用の配線穴と、配線穴に取着された弾性部材からなる保護管とを備え、保護管が少なくとも１５ｍｍ以上の長さに形成されたことを主要な特徴とするものである。
【発明の効果】
【０００６】
本発明の電装箱においては、底板に開設された配線穴に少なくとも１５ｍｍ以上の長さの保護管が取着されているので、屋外に設置されても雨水が電装箱の内部まで浸入する危険は顕著に減少する。
【発明を実施するための最良の形態】
【０００７】
底板に開設されたケーブル用の配線穴と、配線穴に取着された長さが少なくとも１５ｍｍ以上はある弾性部材からなる保護管とを備え、且つ、保護管に緊縛手段を設けると共に、保護管の下端部に緊縛手段の脱落を防止する膨出部を設けるようにした電装箱。
【実施例１】
【０００８】
本発明の一実施例を、図１〜図５に基づいて説明する。なお、理解を容易にするため、これらの図においても前記図６において説明した部分と同様の機能を有する部分には、同一の符号を付した。
【０００９】
本発明の電装箱１は、図２に示したように本体ケース２と、その本体ケース２に螺子３により着脱可能に取着される蓋部材４と、その蓋部材４に付設された底板５とで構成され、それらで囲われた内側がプリント基板などを収納する部品収納部６となっている。
【００１０】
また、本体ケース２の下部側には螺子穴が開設されたストッパ７と、ガイド板部８とが突設され、底板５の本体ケース２に臨む側には、本体ケース２の下端部と嵌合する係止爪９が設けられている。
【００１１】
そして、螺子３を外し、蓋部材４の下部側を曲線矢印の方向に回動して係止爪９と本体ケース２下端部との嵌合を外し、続いて蓋部材４全体を直線矢印の方向に引っ張って、蓋部材４の上端と本体ケース２上端の板止部１０との嵌合を外すことで、蓋部材４が本体ケース２から外れて部品収納部６が露呈するように構成されている。
【００１２】
また、本発明の電装箱１においては底板５にケーブル挿通用の配線穴１１が開設され、その配線穴１１に長さが１５ｍｍ以上、例えば長さ２０ｍｍの保護管１２が従来の電装箱１Ｘにおける保護リング１２Ｘと同様に取着されている。
【００１３】
すなわち、保護管１２の上端部に設けられた環状溝１３に、底板５の配線穴１１に臨む端部が嵌合して保護管１２が配線穴１１に取着されている。保護管１２は適宜の弾性部材、例えば硬度３０の比較的柔らかい合成ゴムにより作製され、下端部には環状の膨出部１４が設けられている。
【００１４】
また、保護管１２には緊縛手段１５が環装され、保護管１２に挿通される後述するケーブル２２などを保護管１２ごと緊縛することができるように設けられている。前記したように保護管１２の下端部には膨出部１４が設けられているので、保護管１２に環装された緊縛手段１５が脱落することはない。
【００１５】
したがって、配線穴１１に挿通したケーブル２２などが、配線穴１１に臨む底板５の端部で傷つくことはないし、緊縛手段１５によりケーブル２２などを保護管１２ごと緊縛して、保護管１２内の空隙を減らしておけば雨水が掛かっても保護管１２の内部を通って部品収納部６まで雨水が浸入することはない。
【００１６】
また、ケーブル２２などが引っ張られることがあっても、ケーブル２２などは緊縛手段１５により保護管１２ごと緊縛されて保護管１２と一体化され、その保護管８は配線穴１１に取着されているので、ケーブル２２などのプリント基板などへの接続端部に引っ張りの力が作用して螺子止め部などが緩む、などと云った不都合が起こる懸念はない。
【００１７】
なお、緊縛手段１５としては、保護管１２ごとケーブル２２などを緊縛できれば良いので、家庭用の水道管やガス管に水道ホース、ガスホースなどを螺子締め機構などを用いて固定可能に構成された各種のホース取付治具や、家庭電化製品のコードなどを纏めておくために、穴とそこに嵌入する球状部を備えた樹脂製バンドなどから構成され、人手により直接緊縛可能に作製された適宜の緊縛手段などが採用し得る。
【００１８】
上記構成の本発明の電装箱１は、室内機と共に空気調和機を構成する室外機２０の背面などに取着して使用される。例えば、図３に示した電装箱１は内部の部品収納部６に直流電力を昇圧する直流／直流コンバータをプリント基板などと共に備え、室外機２０の上部に設置された太陽電池パネル２１と内部の図示しない直流／直流コンバータとがケーブル２２を介して接続され、太陽電池パネル２１で発電した直流電力を昇圧して、室外機２０の内部に設けたインバータで直流電力を交流電力に変換し、図示しない冷媒圧縮機、送風機などに商用電力に優先して供給できるように配線されている。
【００１９】
太陽電池パネル２１と電装箱１内の図示しない直流／直流コンバータとを接続しているケーブル２２は、電装箱１内の図示しないプリント基板に一端が接続されて他端が室外機１や、図示しない室内機に設けた換気装置などに接続されている他のケーブル２２Ａと共に、配線穴１１に取着してある保護管１２の内部を通って配線され、且つ、緊縛手段１５により保護管１２ごと緊縛されている。
【００２０】
なお、この場合の電装箱１は、例えば鋼板のプレス加工により作製された電装箱取着部材２３を介して、室外機２０の背面に着脱可能に装着されている。すなわち、電装箱取着部材２３は図４に示したように室外機２０の本体ケース２４の一方の側面に螺子３により着脱可能に添設された側面添設部２５と、その側面添設部２５の後端部から本体ケース２４の背面部側に延設された背面添設部２６と、その背面添設部２６の中央下端部から後方に延設された受板部２７と、背面添設部２６の図面左端下端部から螺子穴を備えて後方に延設されたストッパ２８と、背面添設部２６の上端部から後方に延設された天板部２９と、その天板部２９の後端部から垂設された後方ガイド部３０とを備えており、その背面添設部２６・受板部２７・天板部２９・後方ガイド部３０により形成された電装箱取着部３１に、電装箱１が横方向から着脱可能に取着されるようになっている。
【００２１】
この場合、受板部２７は背面添設部２６からガイド溝３２を介して後方に延設されている。また、電装箱取着部材２３の側面添設部２５と天板部２９にはそれぞれ２個の螺子穴が設けられ、ストッパ２８には１個の螺子穴が設けられている。
【００２２】
また、電装箱取着部材２３の背面添設部２６の側面添設部２５から離間した側の上下２箇所には、本体ケース２４の背面部２４Ａの所定の横板部と係合する図示しない係止片がそれぞれ設けられ、それら係止片と本体ケース２４の背面部２４Ａの所定の横板部との係合により、背面添設部２６の側面添設部２５から離間した側が本体ケース２４の背面部２４Ａにより支持されるように構成されている。
【００２３】
そして、電装箱１と電装箱取着部材２３とは電装箱１が電装箱取着部３１に横方向から着脱可能な寸法に作製されている。すなわち、電装箱取着部３１の側方に電装箱１を位置させて電装箱取着部３１の側に移動して電装箱１の底板を受板部２７に載せ、さらに移動すると電装箱１のガイド板部８が電装箱取着部材２３のガイド溝３２に嵌り込み、電装箱１をさらに摺動して電装箱取着部材２３のストッパ２８に電装箱１のストッパ７がぶつかるまで移動すると、ストッパ２８の螺子穴とストッパ７の螺子穴の位置が一致し、且つ、天板部２９の螺子穴と電装箱１の天板部の螺子穴とも一致するように作製されている。
【００２４】
したがって、電装箱１のストッパ７の側と、電装箱取着部材２３の天板部２９の側から３本の螺子３をそれぞれの螺子穴に捩じ込むことで、電装箱１は電装箱取着部材２３に取着される。そして、その３本の螺子３を外して電装箱１は横方向に摺動するだけで、本体ケース２４の背面から取り外すことができる。
【００２５】
また、電装箱取着部材２３の側面添設部２５の螺子穴と、本体ケース２４の側面部の螺子穴とにねじ込まれた２本の螺子３を外すと電装箱取着部材２３を上に引き上げることが可能になるので、これら２本の螺子３を着脱することにより、電装箱取着部材２３を着脱して電装箱１の着脱を行うことも可能である。
【００２６】
なお、本発明は上記実施形態に限定されるものではないので、特許請求の範囲に記載の趣旨から逸脱しない範囲で各種の変形実施が可能である。
【００２７】
例えば、電装箱１の配線穴１１に取着する保護管１２の環状溝１３を形成するためにその両側に設ける鍔状の膨出部は、幅１０〜２０mm程度に大きく形成して配線穴１１から部品収納部６への雨水の浸入を効果的に防止できるようにすることも可能である。
【００２８】
また、電装箱取着部材２３には側面添設部２５は設けず、背面添設部２６の部分を本体ケース２４の背面部２４Ａに螺子３などにより直接取着し、その電装箱取着部３１に電装箱１を横方向から着脱するように構成しても良い。
【００２９】
また、電装箱取着部材２３の後方ガイド部３０は天板部２９にではなく、受板部２７に設けることも可能であるし、天板部２９と受板部２７の両方に設けることも可能である。その際、ガイド溝３２とガイド板部８の設置は省略することも可能である。
【００３０】
また、仮想線で示したように、電装箱１の下端部に設けられたストッパ７の部分に、ケーブル類を固定するためのクリップ３３を着脱可能に螺子止めし（図４、図５参照）、電力用のケーブル２２などを固定するようにしても良い。
【００３１】
さらに、室外機２０の本体ケース２４には、電装箱１に内蔵した電装部品以外の電装部品、例えば故障し難く、配線換えなどをすることも少ない電装部品を収納した第２の電装箱を内蔵することも可能である。
【００３２】
なお、配線穴１１に取着する保護管１２は、５０ｍｍを超える長さで設けても部品収納部６への雨水の浸入を防ぐ作用効果には殆ど差はないし、保護管１２下端部から出ているケーブルの取り回しに大きな制約が出るので、５０ｍｍを超えないようにする。
【図面の簡単な説明】
【００３３】
【図１】本発明電装箱の要部の説明図であり、（Ａ）は保護管を緊縛していない状態、（Ｂ）はケーブルを保護管と共に緊縛した状態の説明図である。
【図２】本発明電装箱の説明図である。
【図３】本発明室外機の説明図である。
【図４】本発明室外機における電装箱の着脱要領を示す説明図である。
【図５】本発明電装箱の変形実施形態を示す説明図である。
【図６】従来技術の説明図である。
【符号の説明】
【００３４】
１、１Ｘ  電装箱
２  本体ケース
３  螺子
４  蓋部材
５  底板
６  部品収納部
７  ストッパ
８  ガイド板部
９  係止爪
１０  板止部
１１  配線穴
１２  保護管
１２Ｘ  保護リング
１３、１３Ｘ  環状溝
１４  膨出部
１５  緊縛手段
２０  室外機
２１  太陽電池パネル
２２、２２Ａ  ケーブル
２３  電装箱取着部材
２４  本体ケース
２４Ａ  背面部
２５  側面添設部
２６  背面添設部
２７  受板部
２８  ストッパ
２９  天板部
３０  後方ガイド部
３１  電装箱取着部
３２  ガイド溝
３３  クリップ
【図１】
2005249247.tif 000003
【図２】
2005249247.tif 000004
【図３】
2005249247.tif 000005
【図４】
2005249247.tif 000006
【図５】
2005249247.tif 000007
【図６】
2005249247.tif 000008